(57)【要約】【課題】  好適に画像を表示することを目的とする。【解決手段】  色信号補正装置１０は、表示パネルにおける電圧降下分を補正するための電圧降下補正部２２と、発光輝度の電流依存性の小さい発光体に対応した色信号を入力して発光特性を補正する第１発光特性補正部２０と、発光輝度の電流依存性の大きい発光体に対応した色信号を入力して発光特性を補正する第２発光特性補正部２１と、を備え、第１発光特性補正部２０を電圧降下補正部２２の前段に配置し、第２発光特性補正部２１を電圧降下補正部２２の後段に配置した。【選択図】  図２
2005266155.tif 000002
【特許請求の範囲】
【請求項１】
表示パネルにおける電圧降下分を補正するための電圧降下補正部と、
発光輝度の電流依存性の小さい発光体に対応した色信号を入力して発光特性を補正する第１の発光特性補正部と、
発光輝度の電流依存性の大きい発光体に対応した色信号を入力して発光特性を補正する第２の発光特性補正部と、
を備え、
前記第１の発光特性補正部を前記電圧降下補正部の前段に配置し、
前記第２の発光特性補正部を前記電圧降下補正部の後段に配置したことを特徴とする色信号補正装置。
【請求項２】
前記電圧降下補正部は、前記表示パネルに印加される駆動パルスのパルス幅を伸ばすことによって、前記電圧降下分の補正を行うように画像データを補正することを特徴とする請求項１に記載の色信号補正装置。
【請求項３】
請求項１又は２に記載の色信号補正装置と、表示パネルと、駆動手段と、を備えたことを特徴とする画像表示装置。
【発明の詳細な説明】
【技術分野】
【０００１】
本発明は、マトリクス配線された複数の画像形成素子を備える表示パネルを用いてテレビジョン信号やコンピュータなどの表示信号を受信し画像を表示するテレビジョン受信機やディスプレイ装置等の画像表示装置の色信号補正装置に関するものである。
【背景技術】
【０００２】
従来、ｍ本の行配線及びｎ本の列配線に配線されてマトリクス状に配列されたｍ×ｎ個の画像形成素子（表示素子）を有し、行配線に対して順次走査を行うと共に、列方向に変調を行うことによって、１行分の素子群を同時に駆動していた。
【０００３】
このように駆動する場合には、行配線において、配線の電気抵抗により発生する電圧降下によって、画像形成素子に印加される電圧の低下による不具合が問題となっている。
【０００４】
そこで、このような画像形成素子への印加電圧のばらつきを補正する目的で、各々の画像形成素子における電圧降下量を計算し、その電圧降下量に相当する電荷量の損失分を駆動パルスのパルス幅を補正することによって補正を行う構成の画像表示装置が特許文献１に開示されている。
【０００５】
特許文献１記載の画像表示装置は、画像データにおける画素ごとの電圧降下量を算出し、その電圧降下量からパルス幅を伸張することによって補正データを算出する。また画像データと補正データを演算した際に、オーバーフローが起きないように、オーバーフロー処理回路を備える。
【０００６】
しかしながら、上述した特許文献１の構成においては、蛍光体の発光（輝度）特性が各色ごとに異なることについては考慮していないため、電圧降下の影響はかなり緩和されるものの、蛍光体の発光特性を考慮した改良が必要であった。
【０００７】
蛍光体の発光特性の補正については、特許文献２に提案されている。特許文献２においては、蛍光体の発光輝度が蛍光体に照射される電子ビームの量に対して、線形に発光せず、飽和傾向があることについて述べられている（以降、蛍光体飽和、その特性を蛍光体飽和特性とよぶ）。さらに、蛍光体飽和特性が、蛍光体の種類や、蛍光体に照射される電子ビームのビーム密度、ビーム照射時間などにより変化することが述べられている。またＡＢＬ（Auto Brightness Limitter）等により、画像形成素子に印加する電圧を制御した場合には、電子ビームのビーム密度や照射時間が変化することにより、蛍光体の発光特性が変化することについても述べられている。
【０００８】
しかるに特許文献２においても、電圧降下が発生する場合や、それを補正する回路が付加された画像表示装置においては十分に蛍光体飽和特性を補正するには至らず、更なる改良が必要であった。
【０００９】
そこで本発明者らは、このような問題点を解決することを目的として、特許文献３を提案している。特許文献３においては、入力される画像データに対し行配線の抵抗分によって生じる電圧降下量を算出し、該電圧降下量を補正した画像データ（補正画像データ）を算出する補正画像データ算出手段と、補正後の画像データが変調手段の入力範囲をオーバーフローしないようにするオーバーフロー処理回路とを備え、ゲインによりオーバーフローを防止しつつ、ゲインによって階調変換特性を変化させる階調変換手段を電圧降下の影響を補正する構成の前段に構成することによって、蛍光体の飽和特性を打ち消すことで、
高品位な画像を表示することができるものである。また、階調変換手段を、電圧降下量を補正した画像データ（補正画像データ）を算出する補正画像データ算出手段の後段に設けることも提案されている。
【特許文献１】特開２００３−２９６８９号公報
【特許文献２】特開２０００−７５８３３号公報
【特許文献３】特開２００３−２４１７０７号公報
【発明の開示】
【発明が解決しようとする課題】
【００１０】
しかしながら、さらに本発明者らが鋭意研究を行った結果、電子ビームのビーム密度や照射時間が変化することにより蛍光体の発光特性が変化するが、蛍光体の種類によってその輝度特性が蛍光体に照射される電流に対して依存性の大きい蛍光体と小さい蛍光体が存在することがわかった。そして、この電流依存性による特性の違いがあることから、表示パネルの蛍光体の組み合わせによって、特許文献３のように電圧降下補正部の前段あるいは後段のどちらか一方に階調変換部を設けても、最終的に好適な画像を得られない場合があることがわかった。
【００１１】
本発明は上記課題に鑑みてなされ、好適に画像を表示することを目的としている。
【課題を解決するための手段】
【００１２】
上記目的を達成するために本発明の色信号補正装置にあっては、表示パネルにおける電圧降下分を補正するための電圧降下補正部と、発光輝度の電流依存性の小さい発光体に対応した色信号を入力して発光特性を補正する第１の発光特性補正部と、発光輝度の電流依存性の大きい発光体に対応した色信号を入力して発光特性を補正する第２の発光特性補正部と、を備え、前記第１の発光特性補正部を前記電圧降下補正部の前段に配置し、前記第２の発光特性補正部を前記電圧降下補正部の後段に配置したことを特徴とする。
【００１３】
本発明の画像表示装置にあっては、上記の色信号補正装置と、表示パネルと、駆動手段と、を備えたことを特徴とする。
【発明の効果】
【００１４】
本発明は、発光輝度の電流依存性が小さい蛍光体に対応する色信号を電圧降下補正部の前段で発光特性補正を行い、発光輝度の電流依存性が大きい蛍光体に対応する色信号を電圧降下補正部の後段で発光特性補正を行うことによって、表示パネルの蛍光体に電流密度依存性の異なる蛍光体の組み合わせが存在しても、好適な画像を得ることができる。そして自然画像についても、良好な画像を得ることができる。
【発明を実施するための最良の形態】
【００１５】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１６】
本発明において採用できる表示素子（画像表示装置）としては、冷陰極素子やＥＬ素子によって構成される表示素子などが挙げられる。以下では表示素子として冷陰極素子、特に表面伝導型放出素子を用いた構成を例に挙げて説明する。
【００１７】
複数の冷陰極素子、本実施形態では複数の表面伝導型放出素子を、複数の走査配線と変調配線により、単純マトリクス上の交点に配置した表示装置において、マルチ電子ビームからの電子ビーム照射を受けて発光する蛍光体を有する表示パネルを含むＴＶ信号を表示
する画像表示装置に、特徴部分である色信号補正装置を組み込むことにより、好適な画像表示を行う画像表示装置を構成することができる。
【００１８】
以下、本発明の特徴部分である色信号補正装置及び色信号補正装置を搭載した画像表示装置のハードウェアの構成について、順に説明を行う。
【００１９】
（第１の実施形態）
第１の実施形態では、色信号補正装置は、赤（Ｒ），緑（Ｇ），青（Ｂ）各色の発光特性を補正するための発光特性補正部と、表示パネルにおける電圧降下分を補正するための電圧降下補正部とを備えている。そして、発光輝度特性が電流依存性の小さい赤（Ｒ）の蛍光体に対応した色信号を入力してその発光特性を補正する第１の発光特性補正部を、電圧降下補正部の前段に配置している。また、発光輝度の電流依存性の大きい緑（Ｇ）、青（Ｂ）の蛍光体に対応した色信号を入力してその発光特性を補正する第２の発光特性補正部を、電圧降下補正部の後段に配置している。
【００２０】
以下、本発明の特徴である色信号補正装置及び色信号補正装置を搭載した画像表示装置のハードウェアの構成について、順に説明を行う。
【００２１】
（システム全体と各部分の機能説明）
本実施形態に係る画像表示装置の表示パネルの概観、単純マトリクス構造をもつ電気的な接続、表面伝導型放出素子の特性については、特許文献２（特開２０００−７５８３３号）に記載されているので、ここでは説明を省略する。尚、本実施形態の画像表示装置においては、表示パネルの行電極に線順次に走査信号を印加し、これと同期して列電極に画像データに対応してパルス幅変調された変調信号を印加することにより、行電極及び列電極に接続された電子放出素子に駆動パルスが印加されることにより画像が表示される。
【００２２】
次にハードウェアの構成を、図１に示す。図１はハードウェア回路構成の概略を示すブロック図である。
【００２３】
Ｄｘ１〜ＤｘＭ及びＤｘ１’〜ＤｘＭ’は表示パネル１の走査配線の電圧供給端子、Ｄｙ１〜ＤｙＮは表示パネル１の変調配線の電圧供給端子、Ｈｖはフェースプレートとリアプレートの間に加速電圧を印加するための高圧供給端子、Ｖａは高圧電源、１は表示パネル、２及び２’は走査信号を出力する走査回路、３は同期信号分離回路、４はタイミング発生回路、７はＹＰｂＰｒ信号をＲＧＢに変換するためのＲＧＢ変換回路、１７は逆γ処理部、１０は色信号補正装置、５は画像データ１ライン分のシフトレジスタ、６は画像データ１ライン分のラッチ回路、８は表示パネル１の変調配線に変調信号を出力するパルス幅変調手段である。走査回路２，２’及びパルス幅変調手段８により駆動手段が構成される。
【００２４】
また、図１においてＲ、Ｇ、ＢはＲＧＢパラレルの入力映像データ、Ｒａ，Ｇａ，Ｂａは後述する逆γ変換処理を施したＲＧＢパラレルの映像データ、Ｒｃ、Ｇｃ、Ｂｃは色信号補正装置１０で色度点の変動を抑え、且つ蛍光体の飽和を補正するめに補正されたＲＧＢパラレルの映像データ、Ｄａｔａはデータ配列変換部によりパラレル・シリアル変換された画像データである。
【００２５】
入力された映像信号は、まず図１に示す同期分離回路３により同期信号Ｖｓｙｎｃ、Ｈｓｙｎｃを分離し、タイミング発生回路４に供給する。同期分離された映像信号は、ＲＧＢ変換回路７に供給される。ＲＧＢ変換回路７の内部には、ＹＰｂＰｒからＲＧＢへの変換回路の他に、不図示のローパスフィルタやＡ／Ｄ変換器などが設けられており、ＹＰｂＰｒをディジタルＲＧＢ信号へと変換し、逆γ処理部１７へと供給する。
【００２６】
図１のタイミング発生回路４は、様々な映像フォーマットに対応したタイミング信号を発生し、各部の動作タイミング信号を発生する回路である。タイミング発生回路４が発生するタイミング信号としては、シフトレジスタ５の動作タイミングを制御するＴＳＦＴ、シフトレジスタ５からラッチ回路６へデータをラッチするための制御信号Ｄａｔａｌｏａｄ、変調手段８のパルス幅変調開始信号Ｐｗｍｓｔａｒｔ，パルス幅変調のためのクロックＰｗｍｃｌｋ、走査回路２の動作を制御するＴｓｃａｎなどがある。
【００２７】
図１の走査回路２及び２’は、表示パネルを一水平走査期間に１行ずつ順次走査するために、接続端子Ｄｘ１〜ＤｘＭ及びＤｘ１’〜ＤｘＭ’に対して選択電位Ｖｓまたは非選択電位Ｖｎｓを出力する回路である。
【００２８】
走査回路２及び２’はタイミング発生回路４からのタイミング信号Ｔｓｃａｎに同期して、一水平期間ごとに選択している走査配線を順次切り替え、走査を行う回路である。尚、Ｔｓｃａｎは垂直同期信号及び水平同期信号などから作られるタイミング信号群である。
【００２９】
次に図１に記載の逆γ処理部１７について説明を行う。表示パネル１は入力に対しほぼ２．２乗の発光特性（以降逆γ特性とよぶ）を備えている。入力映像信号は表示パネル１のこのような特性が考慮されており、表示パネル１に表示した際にリニアな発光特性となるように一般に０．４５乗のγ特性にしたがって変換される。
【００３０】
一方、本実施形態に係る画像表示装置の表示パネル１は駆動電圧の印加時間により変調を施す場合、印加時間に対しほぼリニアな発光特性を有しているため、逆γ処理部１７で入力映像信号を逆γ特性にもとづいて変換（以降逆γ変換とよぶ）する必要がある。
【００３１】
(色信号補正装置)
図２は色信号補正装置１０のブロック図である。２０は第１発光特性補正部、２１は第２発光特性補正部である。２２は電圧降下補正部、２３，２４は乗算器、２５は逆数器である。
【００３２】
図２の第１発光特性補正部２０で、輝度特性の電流依存性の小さい赤（Ｒ）の蛍光体の飽和特性を補正し、第２発光特性補正部２１で輝度特性の電流依存性の大きい緑（Ｇ）、及び青（Ｂ）の蛍光体の飽和特性を補正する。
【００３３】
以下、電圧降下補正部２２、第１及び第２発光特性補正部２０，２１の順に、詳細に説明を行う。
【００３４】
(電圧降下補正部)
電圧降下補正部２２の説明を、図３を用いて行う。図３において、３１は補正データ算出手段、３２はゲイン算出手段、３３は補正画像データの中から最大値を検出する最大値検出手段、３４は画像データに対応した補正データ算出手段３１からの補正データが正しく加算されるように遅延を行う遅延回路、３５ａ〜３５ｃは入力画像データＲａ’，Ｇａ，Ｂａに、補正データ算出手段３１からの出力データｃＲａ’，ｃＧａ’，ｃＢａ’を加算する加算器、３６ａ〜３６ｃは補正データ算出手段３１の補正データが加算された画像データに、ゲイン算出手段３２から出力されるゲインＧｄを乗算する乗算器である。
【００３５】
補正データ算出手段３１での詳細な補正データ算出方法は、特許文献１（特開２００３−２９６８９号）に記載されているので省略するが、入力された画像データに対し走査配線の配線抵抗による電圧降下量を計算し、電圧降下の影響による放出電流の減少分を図４
のＶｆ−Ｉｅのグラフから算出し(図５のＳＴＥＰ１)、そして図５のＳＴＥＰ２に示すように放出電流の減少分をパルス幅を伸張することによって補っている。図５はそれぞれ縦軸に素子から放出される電流、横軸にパルス幅（時間軸）を示し、その面積は蛍光体に投入される電荷量を示す。したがって、電圧降下補正部２２では、電圧降下によって失われる電荷量を、表示パネルに印加される駆動パルスのパルス幅を伸張することによって補っていることになる。
【００３６】
そして伸張分のパルス幅データが、補正データ算出手段３１からの出力ｃＲａ’、ｃＧａ’、ｃＢａ’となる。
【００３７】
しかしながら、図５のＳＴＥＰ２にも示されるように、駆動パルスのパルス幅を伸張することによって、１水平走査期間を超えてしまうオーバーフローのデータが発生する。このため、全ての画像データが１水平期間（１Ｈ）内に収まるように、１フレームの補正データ加算後の画像データの最大値を最大値検出手段３３で検出して、その画像データの最大値が１水平期間に収まるようなゲインＧｄをゲイン算出手段３２で算出し、ゲインＧｄを全ての画像データに乗算することによって、画像データのオーバーフローを防いでいる。
【００３８】
そして、電圧降下補正部２２で、電圧降下補正後の画像データＲｃ（ｐＲａ）、ｐＧａ、ｐＢａを出力し、赤の出力データＲｃ（ｐＲａ）はそのまま色信号補正装置１０の出力画像データとなり、緑及び青の画像データｐＧａ及びｐＢａはそれぞれ、第２発光特性補正部２１に転送される。
【００３９】
（第１発光特性補正部）
第１発光特性補正部２０では輝度特性の電流依存性の小さい赤（Ｒ）の蛍光体の飽和特性を補正する。
【００４０】
赤の蛍光体について、本発明者らが鋭意研究を行い、電子ビームの照射時間（＝パルス幅）や、瞬間的な電子ビームの照射量（＝放出電流量：Ｉｅ）をパラメータとしてその発光特性を調べた。それによれば、放出電流量とパルス幅の積として放出電荷量を定義し、放出電荷量に対して発光量をプロットすると、赤の蛍光体の発光特性は、Ｉｅの値を変化させても、１本の曲線上にすべて存在することがわかった。これは蛍光体の材料にもよるが、一般に赤の蛍光体の緩和時間が電子ビームを照射している時間に対し、非常に長いためと思われる。
【００４１】
図６（ａ）は放出電荷量と輝度の関係を示した図である。図６（ａ）において横軸は放出電荷量であり、縦軸は蛍光体の発光輝度である。投入される放出電流を変化させても、放出電荷量という変数に対し、赤の蛍光体の発光輝度は１本の曲線上に全て存在することがわかる。
【００４２】
したがって、赤の蛍光体の飽和特性を補正するためには、概略として、図６（ａ）の特性の逆関数、すなわち、図６（ｂ）を用いて、投入（放出）すべき電荷量を算出すればよい。
【００４３】
さらに電圧降下補正部２２に、概念的にはこの電荷量に相当するデータを入力として与えれば、電圧降下補正では、電荷量が入力値と同じになるようにパルス幅を伸張するため、好ましく補正ができる。
【００４４】
しかし、オーバーフロー処理によってゲインＧｄが乗算されることから、電圧降下のない場合の電荷量のＧｄ倍と同じ放出電荷量になるように駆動パルス幅を伸張される。
【００４５】
このため、入力画像データ（輝度要求値）に対し、蛍光体の発光輝度がリニアになるためには、以下のような手順で補正を行えば好ましい。
【００４６】
入力画像データ（輝度要求値）に対し、蛍光体の発光特性の曲線（正確には逆関数）を参照して、その輝度要求値に対応した輝度を得るために必要な放出電荷量に変換する。この際に電圧降下補正後のゲインによって、実際に投入できる電荷量は制限される。したがって、ゲインの値に応じて投入できる電荷量を考慮して、蛍光体飽和を補正する。
【００４７】
ゲインＧｄが０．２５である場合には、放出できる電荷量は、図７（ａ）のＧｄ＝０．２５と記された点線の領域内に制限される。
【００４８】
ゲインＧｄが０．５である場合には、放出できる電荷量は図７（ａ）のＧｄ＝０．５と記された点線の領域内に制限される。
【００４９】
ゲインＧｄが１．０である場合には、放出できる電荷量は制限されず、図７（ａ）のＧｄ＝１．０と記された点線の領域内の範囲をとる。
【００５０】
上記のことを考慮して、これらを補正する特性としては、
ゲインＧｄ＝１の場合は、図８（ａ）の特性、
ゲインＧｄ＝０．５の場合は、図８（ｂ）の特性、
ゲインＧｄ＝０．２５の場合は、図８（ｃ）の特性
を用いて輝度要求値である入力画像データを電荷量に変換すればよい。
【００５１】
この際に入力画像データの取り得る最大の値を１として、図８（ａ）〜（ｃ）の曲線にしたがって電荷量データに変換すればよい。実際には、ゲインの値は上記の３つ以外の値をとりえることは言うまでもないが、その場合はゲインに応じてそのエリアを可変させて飽和特性を補正すればよい。
【００５２】
尚、上記の変換を行うのに先立って、ゲインＧｄの値が必要となるが、厳密には蛍光体飽和補正及び電圧降下補正を施した後でなければ、その値はわからない。この現実的な解決策はフレーム間の画像データの相関を利用し１フレーム前のゲインＧｄを用いれば好適である。
【００５３】
したがって、第１発光特性補正部２０では、図６（ｂ）に示されるような飽和補正テーブルが挿入されており、ゲインＧｄが乗算された赤の画像データＲａに対し、発光特性の補正データであるＲａ’を出力する。
【００５４】
そして、第１発光特性補正部２０から出力された補正画像データＲａ’は、電圧降下補正部２２により赤の蛍光体の放出電荷量データに相当する電荷量が放出されるようにさらに補正され、画像データＲｃとなる。その後、画像データＲｃに基づいて、駆動パルスのパルス幅を変調する。
【００５５】
（第２発光特性補正部）
第２発光特性補正部２１では、輝度特性の電流依存性の大きい緑（Ｇ）及び青（Ｂ）の蛍光体の発光特性を補正する。
【００５６】
緑及び青の蛍光体について、赤の蛍光体同様、本発明者らが鋭意研究を行い、電子ビームの照射時間（＝パルス幅）や、瞬間的な電子ビームの照射量（＝放出電流量：Ｉｅ）をパラメータとしてその発光特性を調べた。それによればパルス幅に対して規格化した発光
量をプロットすると、緑及び青の蛍光体の発光特性は、Ｉｅの値を変化させても、１本の曲線で近似できることがわかった。これは蛍光体の材料にもよるが、緑及び青の蛍光体の緩和時間が電子ビームを照射している時間に対し、非常に短いためと思われる。
【００５７】
図９（ａ）及び（ｂ）は、緑と青のそれぞれのパルス幅と規格化輝度の関係を示した図である。図９（ａ）及び（ｂ）において横軸はパルス幅であり、縦軸は蛍光体の規格化した発光輝度である。放出電流の値（Ｉｅ）を変化させても、パルス幅という変数に対し、緑及び青の蛍光体の規格化した発光輝度は１本の曲線上に全て存在することがわかる。
【００５８】
したがって、緑及び青の蛍光体の飽和特性を補正するためには、概略として、図９（ａ）及び（ｂ）の特性の逆関数、すなわち、図１０（ａ）及び（ｂ）を用いて、変調時のパルス幅を算出すればよい。
【００５９】
電圧降下補正部２２後の出力データは、概念的には補正されたパルス幅に相当するデータが出力されてくるので、蛍光体の飽和補正がされていない、緑及び青の画像データは、電圧降下補正後のパルス幅のデータに対して補正を行うことにより、良好な飽和補正を行うことができる。
【００６０】
したがって、第２発光特性補正部２１では、図１０（ａ）及び（ｂ）に示されるような飽和補正テーブルが挿入されており、電圧降下補正後のパルス幅データｐＧａ及びｐＢａに対し、発光特性の補正データであるＧｃ及びＢｃを出力する。
【００６１】
このように、色信号補正装置１０は、第１発光特性補正部２０で赤の蛍光体飽和補正を行い、そして、電圧降下補正部２２で電圧降下の影響に対する補正を行い、また、電圧降下補正後に第２発光特性補正部２１で緑及び青の蛍光体飽和補正を行うことによって、各蛍光体の良好な発光特性、及び動画像表示を行った場合に好ましい表示を得ることができる色信号を生成することができる。
【００６２】
そして、図１の記載の色信号補正装置１０で補正された色信号Ｒｃ，Ｇｃ，Ｂｃはデータ配列変換部９へ転送される。
【００６３】
尚、蛍光体の発光特性は、蛍光体の種類、電子ビームの密度、電子ビームの照射時間、フェースプレートとリアプレートの加速電圧などによって変化するので、本実施形態の色信号補正装置１０の第１及び第２発光特性補正部２０，２１で用いられた各種補正テーブルに記載の内容はこれらに限定するものではない。
【００６４】
図１に記載のデータ配列変換部９は、ＲＧＢパラレルな映像信号であるＲｃ，Ｇｃ，Ｂｃを表示パネル１の画素配列にあわせて並べかえをする機能を有し、ＲＧＢのパラレルな映像信号は、ＲＧＢのシリアル画像データＳＤａｔａとしてシフトレジスタ５へ出力される。詳細については記載しないが、タイミング発生回路４からのタイミング制御信号に基づいて動作する。
【００６５】
図１のデータ配列変換部９からの出力である画像データＤａｔａは、シフトレジスタ５により、シリアルなデータフォーマットから、各変調配線毎のパラレルな画像データＩＤ１〜ＩＤＮへとシリアル／パラレル変換されラッチ回路６へ出力される。ラッチ回路６では１水平期間が開始される直前にタイミング信号Ｄａｔａｌｏａｄにより、シフトレジスタ５からのデータをラッチする。ラッチ回路６の出力は、パラレルな画像データＤ１〜ＤＮとして変調手段８へと供給される。
【００６６】
変調手段８は、図１１（ａ）に示したように、ＰＷＭカウンタと、各変調配線のコンパ
レータとスイッチ（同図ではＦＥＴ）とを備えたパルス幅変調回路（ＰＷＭ回路）である。
【００６７】
画像データＤ１〜ＤＮと変調手段８の出力パルス幅の関係は、図１１（ｂ）のようなリニアな関係にある。
【００６８】
図１１（ｃ）に変調手段の出力波形の例を３つ示す。図１１（ｃ）において上側の波形は変調手段８への入力データが０の時の波形であり、中央の波形は変調手段８への入力データが１２８の時の波形であり、下側の波形は変調手段８への入力データが２５５の時の波形である。
【００６９】
尚、本実施形態では変調手段８への入力データＤ１〜ＤＮのビット数は８ビットとした。
【００７０】
このような構成で、色信号補正装置１０を搭載して、画像の表示を行ったところ、従来からの課題であった蛍光体の飽和や、電圧降下の影響を補正し、好適に画像を表示することができた。さらに、動画表示時においても、好適に画像が表示できた。
【００７１】
(第２の実施形態)
第１の実施形態では、図２の色信号補正装置１０において、第１発光特性補正部２０では、電圧降下補正部２２で算出された１フレーム前のゲインＧｄを乗算器２３で入力画像データＲａに乗算し、第１発光特性補正部２０で蛍光体飽和補正後に乗算器２４で１／Ｇｄを乗算して、電圧降下補正部２２に入力していた。そして図３に示す電圧降下補正部２２で次のフレームのゲインＧｄが算出され、乗算器３６ａで再度ゲインＧｄを乗算していた。
【００７２】
しかし、一般的なビデオ信号では、前後のフレーム間で相関関係があるので、前後のフレーム間でゲインＧｄの値は、ほとんど変化しない。このため、第２の実施形態では、第１発光特性補正部２２０の前で１フレーム前のゲイン値を色信号に乗算するだけとした。
【００７３】
第２の実施形態の色信号補正装置２１０及び電圧降下補正部２２２を図１２及び図１３に示す。色信号補正装置２１０を除くシステムの各部は第１の実施形態と同様に構成されるので、ここでは説明を省略する。
【００７４】
色信号補正装置２１０において、発光輝度の電流依存性の小さい赤（Ｒ）の蛍光体に対応した色信号を入力して、その発光特性を補正する第１発光特性補正部２２０を、電圧降下補正部２２２の前段に配置し、発光輝度の電流依存性の大きい緑（Ｇ）、青（Ｂ）の蛍光体に対応した色信号を入力して、その発光特性を補正する第２発光特性補正部２２１を、電圧降下補正部２２２の後段に配置する。
【００７５】
そして、発光輝度の電流依存性の小さい蛍光体に対応した色信号は、電圧降下補正部２２２から出力される１フレーム前のゲイン値を色信号に乗算し、前記乗算された色信号に対して、第１発光特性補正部２２０で蛍光体の飽和を補正する。飽和補正された色信号に対して、電圧降下の影響を補正する補正データを算出して前記色信号に加算する。前記加算された色信号を、発光輝度の電流依存性の小さい蛍光体に対応した色信号の補正データとして出力する。
【００７６】
また、発光輝度の電流依存性の大きい蛍光体に対応した色信号に関しては、第１の実施形態と同様に補正を行い、色信号の補正データとして出力することで色信号補正装置２１０を構成している。
【００７７】
このように色信号補正装置２１０を搭載して、画像の表示を行ったところ、従来からの課題であった蛍光体の飽和や、電圧降下の影響を補正し、好適に画像を表示することができた。さらに、動画表示時においても、好適に画像が表示できた。
【図面の簡単な説明】
【００７８】
【図１】第１の実施形態に係る色信号補正装置を内蔵した画像表示装置の概略構成を示すブロック図である。
【図２】第１の実施形態に係る色信号補正装置を示すブロック図である。
【図３】第１の実施形態に係る色信号補正装置に搭載されている電圧降下補正部を示すブロック図である。
【図４】表面伝導型放出素子の特性を示す図である。
【図５】電圧降下補正法における補正法のイメージを示す図である。
【図６】赤の蛍光体における放出電荷量と輝度の関係を示した図である。
【図７】電圧降下補正部で算出されるゲイン値と、飽和補正テーブルの関係を示した図である。
【図８】電圧降下補正部で算出されるゲイン値と、飽和補正テーブルの変化の例を示した図である。
【図９】青及び緑の蛍光体のパルス幅と規格化輝度の関係を示す図である。
【図１０】図９の逆関数を示す図である。
【図１１】画像表示装置の変調手段の構成及び動作を説明する図である。
【図１２】第２の実施形態に係る色信号補正装置を示すブロック図である。
【図１３】第２の実施形態に係る色信号補正装置に搭載されている電圧降下補正部を示すブロック図である。
【符号の説明】
【００７９】
１  表示パネル
２，２’  走査回路
３  同期分離回路
４  タイミング発生回路
５  シフトレジスタ
６  ラッチ回路
７  変換回路
８  パルス幅変調手段
９  データ配列変換部
１０  色信号補正装置
１７  逆γ処理部
２０  第１発光特性補正部
２１  第２発光特性補正部
２２  電圧降下補正部
３１  補正データ算出手段
３２  ゲイン算出手段
３３  最大値検出手段
【図１】
2005266155.tif 000003
【図２】
2005266155.tif 000004
【図３】
2005266155.tif 000005
【図４】
2005266155.tif 000006
【図５】
2005266155.tif 000007
【図６】
2005266155.tif 000008
【図７】
2005266155.tif 000009
【図８】
2005266155.tif 000010
【図９】
2005266155.tif 000011
【図１０】
2005266155.tif 000012
【図１１】
2005266155.tif 000013
【図１２】
2005266155.tif 000014
【図１３】
2005266155.tif 000015